(57)【要約】      （修正有）【課題】浴槽水を洗濯機等に供給するときの水道側への逆流を防止することを目的としたものである。【解決手段】注水弁３を介して水道水を供給する注水経路および注湯弁４を介して湯を供給する注湯経路および流路切換弁９を介して浴槽水を供給する浴槽水供給回路７よりなる洗濯注湯装置であって、流路切換弁９は循環ポンプ１１により供給される浴槽水を前記浴槽水供給回路あるいは浴槽水循環回路８に切り換え、前記流路切換弁９の上流側には、洗濯機２へ水を供給する注水弁３と、洗濯機２へ湯を供給する注湯弁４と、水・湯回路への逆流を防止する逆止弁５と前記洗濯機２へ水を供給する注水弁３と前記水・湯回路への逆流を防止する逆止弁５の間に通路を開閉する弁１０を設けることにより、弁１０が開放時に浴槽水を排水する排水通路を有し、洗濯機２へ湯を供給している時に弁を開放することにより浴槽水が水道側に逆流するのを防止できるものである。【選択図】図１
2006064233.tif 000002
【特許請求の範囲】
【請求項１】
注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水弁の間の注水経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴とした洗濯注湯装置。
【請求項２】
注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注湯弁の間の注湯経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴とした洗濯注湯装置。
【請求項３】
注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水弁の間の注水経路及び前記逆止弁と前記注湯弁の間の注湯経路を大気開放状態とする開放弁をそれぞれ備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴とした洗濯注湯装置。
【請求項４】
注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水経路及び注湯経路を合流させた後の合流経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴とした洗濯注湯装置。
【発明の詳細な説明】
【技術分野】
【０００１】
本発明は、浴槽水循環加熱機能を有する風呂給湯機と組み合わせることで、水または給湯機からの湯、または浴槽の残り湯を洗濯機に供給する洗濯注湯装置に関するものである。
【背景技術】
【０００２】
従来、この種の洗濯注湯システムは、図５に示す通り、給湯および浴槽水の循環加熱ができる風呂給湯機等１と、洗濯機２へ水を供給する注水弁３と、洗濯機２へ湯を供給する注湯弁４と、水・湯回路への逆流を防止する逆止弁５と浴槽水６を洗濯機２へ供給する浴槽水供給回路７もしくは浴槽６へ循環させる浴槽水循環回路８とを切り換える流路切り換え弁９と、風呂給湯機等１に組み込まれ浴槽水６を搬送する循環ポンプ１２とから構成されており、水、湯、浴槽水６のいずれかを洗濯機２へ供給している。また、逆止弁５で浴槽水６が水道側に逆流するのを防止している（例えば、特許文献１参照）。
【特許文献１】特開平１０−２２０８７５号公報
【発明の開示】
【発明が解決しようとする課題】
【０００３】
しかしながら、従来の洗濯注湯システムでは、水道が断水し、かつ、逆止弁にゴミが噛み込んだ場合には、浴槽水を洗濯機に供給しようとすると、浴槽水が水道側へ逆流して安全衛生面での問題があった。
【課題を解決するための手段】
【０００４】
本発明は上記課題を解決するために、注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水弁の間の注水経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とするようにしたものである。
【０００５】
上記発明によれば、浴槽水を洗濯機に供給するモードにおいては、注水経路に配設した大気開放弁を開放するようにしているため、水道側で断水状態となって、さらに逆止弁にゴミが付着して逆流防止機能が作用しなくなるような状態になったとして、浴槽水が水道側に逆流することはなく、浴槽水を大気開放弁に内設した排水通路より排水する洗濯注湯装置を供給することができる。
【０００６】
また、大気開放弁を注湯経路に配設した構成のものにおいても、上記同様の作用効果を得ることができる。
【０００７】
また、大気開放弁を注水経路と注湯経路の両方に設置するものにおいても、上記同様の作用効果を得ることができる。
【０００８】
また、大気開放弁を注水経路と注湯経路の合流経路に配設したものにおいても、上記同様の作用効果を得ることができる。
【発明の効果】
【０００９】
本発明の洗濯注湯装置は、浴槽水を洗濯機に供給するモードにおいては、注水経路に配設した大気開放弁を開放するようにしているため、水道側で断水状態となって、さらに逆止弁にゴミが付着して逆流防止機能が作用しなくなるような状態になったとして、浴槽水が水道側に逆流することはなく、浴槽水を大気開放弁に内設した排水通路より排水する洗濯注湯装置を供給することができる。
【発明を実施するための最良の形態】
【００１０】
第１の発明は、注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水弁の間の注水経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴としたものである。
【００１１】
そして、浴槽水を洗濯機に供給するモードにおいては、注水経路に配設した大気開放弁を開放するようにしているため、水道が断水した場合、浴槽水を循環ポンプで搬送しようとすると、水道断水時には大気開放弁が開放されているため、逆止弁にゴミが付着しても浴槽水が水道側に逆流することなく浴槽水を排水通路に排水することにより浴槽水が水道側に逆流することを防止できる。
【００１２】
第２の発明は、注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注湯弁の間の注湯経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴としたものである。
【００１３】
そして、浴槽水を洗濯機に供給するモードにおいては、注湯経路に配設した大気開放弁を開放するようにしているため、水道が断水した場合、浴槽水を循環ポンプで搬送しようとすると、水道断水時には大気開放弁が開放されているため、逆止弁にゴミが付着しても浴槽水が水道側に逆流することなく浴槽水を排水通路に排水することにより浴槽水が水道側に逆流することを防止できる。
【００１４】
第３の発明は、注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水弁の間の注水経路及び前記逆止弁と前記注湯弁の間の注湯経路を大気開放状態とする開放弁をそれぞれ備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴としたものである。
【００１５】
そして、浴槽水を洗濯機に供給するモードにおいては、注水経路と注湯経路の両方に配設した大気開放弁を開放するようにしているため、水道が断水した場合、浴槽水を循環ポンプで搬送しようとすると、水道断水時には大気開放弁が開放されているため、逆止弁にゴミが付着しても浴槽水が水道側に逆流することなく浴槽水を排水通路に排水することにより浴槽水が水道側に逆流することを防止できる。
【００１６】
第４の発明は、注水弁を介して水道水を供給する注水経路と、注湯弁を介して湯を供給する注湯経路と、流路切換弁を介して浴槽水を供給する浴槽水供給回路と、前記注水経路及び注湯経路を合流した後前記浴槽水供給経路と合流させる間に配設した逆止弁と、前記逆止弁と前記注水経路及び注湯経路を合流させた後の合流経路を大気開放状態とする開放弁を備え、前記流路切換弁は循環ポンプにより供給される浴槽水を前記浴槽水供給回路あるいは浴槽水循環回路に切り換える構成とし、前記開放弁は開放状態において浴槽水の排水が可能な排水通路を有し、前記流路切換弁が浴槽水供給回路側に切り換わって洗濯機へ浴槽水を供給しているときは前記開放弁を開放状態とすることを特徴としたものである。
【００１７】
そして、浴槽水を洗濯機に供給するモードにおいては、注水経路と注湯経路の合流経路に配設した大気開放弁を開放するようにしているため、水道が断水した場合、浴槽水を循環ポンプで搬送しようとすると、水道断水時には大気開放弁が開放されているため、逆止弁にゴミが付着しても浴槽水が水道側に逆流することなく浴槽水を排水通路に排水することにより浴槽水が水道側に逆流することを防止できる。
【００１８】
以下、本発明の実施の形態について、図面を参照して説明する。なお、本実施の形態によって本発明が限定されるものではない。
【００１９】
（実施の形態１）
図１は、本発明の実施の形態１における洗濯注湯装置を示す全体構成図である。
【００２０】
図において、給湯および浴槽水の循環加熱ができる風呂給湯機１と、洗濯機２へ水道水を供給する注水経路に配設した注水弁３と、洗濯機２へ前記風呂給湯機１で加熱された湯を供給する注湯経路に配設した注湯弁４と、注水経路・注湯経路への逆流を防止する逆止弁５と、浴槽水６を前記風呂給湯機１を経由して、洗濯機２へ供給する浴槽水供給回路７もしくは浴槽６へ循環させる浴槽水循環回路８とを切り換える流路切り換え弁９と、前記注水弁３と前記逆止弁５との間の注水経路を大気開放状態にするとともに、浴槽水６が逆流した場合に外部に排水する排水通路を内蔵した開放弁１０と、風呂給湯機１に組み込まれ浴槽水６を搬送する循環ポンプ１１とから構成されている。
【００２１】
以上のように構成された洗濯注湯装置について、以下その動作、作用を説明する。
【００２２】
まず、水道水が正常に供給されている状態において、洗濯機２に水道水を供給するモードの場合は、注水弁３を開弁し、開放弁１０を閉弁して洗濯機２へ水道水を供給する。また、洗濯機２に湯を供給するモードの場合は、風呂給湯機１の加熱動作を行うとともに、注湯弁４を開弁し、開放弁１０を閉弁して洗濯機２へ湯を供給する。
【００２３】
また、浴槽水６を洗濯機２に供給するモードの場合は、流路切換弁９を浴槽水供給回路７に切り換え、循環ポンプ１１を運転するともに、開放弁１０を開弁状態とする。
【００２４】
次に、水道水が断水状態で、さらに逆止弁５にゴミ等の異物が付着し逆流防止機能が作用しない状態における動作について説明すると、浴槽水６を洗濯機２に供給するモードにおいて前記状態になると、水道圧が加わっていないため、逆止弁５から浴槽水が注水弁３側に流れ込んできて、他の蛇口から浴槽水が流れ出ることになる。本発明はこの現象を防止するため、逆止弁５と注水弁３の間に開放弁１０を設け、浴槽水を洗濯機２に供給する場合は開放弁１０を開放状態として内蔵した排水通路により逆流した浴槽水を外部に排出することで、水道側に逆流することを防止している。
【００２５】
（実施の形態２）
図２は、本発明の実施の形態２における洗濯注湯装置を示す全体構成図である。
【００２６】
実施例１と異なる点は、洗濯機２へ湯を供給する注湯弁４と、逆止弁５との間に注湯経路を大気開放状態とする開放弁１０を設け、風呂給湯機１に組み込まれ浴槽水６を搬送する循環ポンプ１１とから構成されていることである。
【００２７】
動作・作用については実施の形態１と同様であり、逆流現象を防止するため、逆止弁５と注湯弁４の間に開放弁１０を設け、浴槽水を洗濯機２に供給する場合は開放弁１０を開放状態として内蔵した排水通路により逆流した浴槽水を外部に排出することで、水道側に逆流することを防止している。
【００２８】
（実施の形態３）
図３は、本発明の実施の形態３の洗濯注湯装置を示す全体構成図である。
【００２９】
実施の形態１と異なる点は、洗濯機２へ水を供給する注水弁３と、逆止弁５との間に注水経路を大気開放状態とする開放弁１０を設け、さらに洗濯機２へ湯を供給する注湯弁４と、逆止弁５との間に注湯経路を大気開放状態とする開放弁１０を設け、風呂給湯機１に組み込まれ浴槽水６を搬送する循環ポンプ１１とから構成されていることである。
【００３０】
動作・作用については実施の形態１と同様であり、注水経路と注湯経路の両方に開放弁１０を設けた構成とし、浴槽水が逆流した場合の排水性能を向上させたものである。
【００３１】
（実施の形態４）
図４は、本発明の実施の形態４の洗濯注湯装置を示す全体構成図である。
【００３２】
実施の形態１と異なる点は、洗濯機２へ湯を供給する注湯弁４を有する回路と洗濯機２へ水を供給する注水弁３の２つの回路が合流し１つの回路になった合流経路を大気開放状態とする開放弁１０を設け、風呂給湯機１に組み込まれ浴槽水６を搬送する循環ポンプ１１とから構成されていることである。
【００３３】
動作・作用については実施の形態１と同様であり、１つの開放弁１０により排水性能をより高めたものである。
【図面の簡単な説明】
【００３４】
【図１】本発明の実施の形態１における洗濯注湯装置を示す全体構成図
【図２】本発明の実施の形態２における洗濯注湯装置を示す全体構成図
【図３】本発明の実施の形態３における洗濯注湯装置を示す全体構成図
【図４】本発明の実施の形態４における洗濯注湯装置を示す全体構成図
【図５】従来の洗濯注湯装置の全体構成図
【符号の説明】
【００３５】
１  風呂給湯機
２  洗濯機
３  注水弁
４  注湯弁
５  逆止弁
６  浴槽水
７  浴槽水供給回路
８  浴槽水循環回路
９  流路切換弁
１０  弁
１１  循環ポンプ
【図１】
2006064233.tif 000003
【図２】
2006064233.tif 000004
【図３】
2006064233.tif 000005
【図４】
2006064233.tif 000006
【図５】
2006064233.tif 000007